(57)【要約】【課題】異物を止水栓近傍で排除するとともに残留塩素は末端給水栓近傍で除去する手段である給水システム、浄水システム、建築物、化学物質除去装置並びに異物除去装置を提供する。【解決手段】給水管と接続される止水栓を介して接続される複数の末端給水栓を備える二重濾過浄水システムにおいて、前記末端給水栓毎に隣接して配置する化学物質除去部と、止水栓側に配置する異物除去部とを備えることで止水栓において異物を除去するとともに遊離残留塩素濃度を末端給水栓近傍まで低下させることなく給水する。【選択図】図１
2008188566.tif 000002
【特許請求の範囲】
【請求項１】
給水管と接続される止水栓を介して接続される複数の末端給水栓を備える二重濾過浄水システムにおいて、前記末端給水栓毎に隣接して配置する化学物質除去部と、止水栓側に配置する異物除去部とを備えることで止水栓において異物を除去するとともに遊離残留塩素濃度を末端給水栓近傍まで低下させることなく給水する二重濾過浄水システム。
【請求項２】
化学物質除去部は、化学物質除去フィルタと前記化学物質除去フィルタを回避するバイパス部を備えることを特徴とする請求項１記載の二重濾過浄水システム。
【請求項３】
異物除去部は、異物除去フィルタと前記異物除去フィルタを回避するバイパス部を備えることを特徴とする請求項１記載の二重濾過浄水システム。
【請求項４】
給水管と接続される止水栓を介して接続される複数の末端給水栓を備える二重濾過浄水システムを備える建築物において、前記末端給水栓毎に隣接して配置する化学物質除去部と、止水栓側に配置する異物除去部とを備えることで止水栓で異物を除去するとともに遊離残留塩素濃度を末端給水栓近傍まで低下させることなく給水する二重濾過浄水システムを備える建築物。
【請求項５】
給水管と接続される止水栓を介して接続される複数の末端給水栓を備える二重濾過浄水システムに内蔵されて、止水栓側に配置する異物除去部に連結されることで止水栓において異物を除去するとともに遊離残留塩素濃度を末端給水栓近傍まで低下させることなく給水するための、前記末端給水栓毎に隣接して配置される化学物質除去装置。
【請求項６】
さらに化学物質除去フィルタと前記化学物質除去フィルタを回避するバイパス部を備えることを特徴とする請求項５記載の化学物質除去装置。
【請求項７】
給水管と接続される止水栓を介して接続される複数の末端給水栓を備える二重濾過浄水システムに内蔵されて、前記末端給水栓毎に隣接して配置される化学物質除去部に連結されることで止水栓において異物を除去するとともに遊離残留塩素濃度を末端給水栓近傍まで低下させることなく給水するための、止水栓側に配置する異物除去装置。
【請求項８】
さらに異物除去フィルタと前記異物除去フィルタを回避するバイパス部を備えることを特徴とする請求項７記載の異物除去装置。
【発明の詳細な説明】
【技術分野】
【０００１】
本発明は、異物を止水栓近傍で排除するとともに残留塩素は末端給水栓近傍で除去することのできる浄水システム、建築物、化学物質除去装置並びに異物除去装置に関するものである。
【背景技術】
【０００２】
日本国の水道普及率は、厚生労働省によれば総人口当りで９６．３％に上る。雑菌繁殖を防止させながら、この普及率を達成させてしかも低価格でサービスを提供し続けることができたのは、塩素の使用による効果が大きい。しかしながら、水道水に混入する塩素ガスの半数致死量は３２００ｍｇ／ｌ立方メートル中であるように塩素は無毒な物質ではない。特に塩素は酸化力を有するため蛋白質を変性させてしまう。このため残留塩素濃度の高い水道水で髪や肌を洗浄すると髪や肌の蛋白質を変性させるために傷むこととなる。そこで、近年、水道水の残留塩素を削減させるために塩素除去フィルタの使用が提案されている。
【０００３】
ところが、塩素除去フィルタを水道の蛇口に設ける場合に、特に規制はないが、塩素除去フィルタを各家庭の水道メータ付近に設ける場合は、水道法施行規則第１７条により衛生上必要な措置として、「給水栓における水が、遊離残留塩素を０．１ｍｇ／ｌ（結合残留塩素の場合は、０．４ｍｇ／ｌ）以上保持するように塩素消毒をすること」が規定されている。このため、特に水道メータ以降に取付ける塩素除去フィルタの場合は、特に末端給水栓までの距離がある際には、塩素除去フィルタを通過する水の遊離残留塩素濃度を調整する必要がある。
【０００４】
そこで、遊離残留塩素濃度を調整する装置が幾つかの特許文献で提案されている。特許文献１では、濾過水の遊離残留塩素の濃度を任意に調節することを可能にすべく、「水濾過装置に異物を除去する機能のある濾過材と異物や遊離残留塩素を吸着する機能のある活性炭の濾過材を直列に組み込み、活性炭の濾過材に対してバイパス配管を設け、バイパス配管の途中に調節の為に弁を設ける」水濾過装置が提案されている。
【０００５】
また、特許文献２では、メーターボックスなどに取り付けられて、家庭内で使用される水をまとめてろ過、除菌を行なうための浄水器において、通過する水道水の含有塩素量を確保するべく、「筒状ケーシングと、前記筒状ケーシング内に設けられたフィルタと、前記筒状ケーシングの上端を遮蔽するヘッドキャップとを備え、前記フィルタは、前記筒状ケーシング内において、該筒状ケーシングの内周面と環状間隙をおいて略同心に配置された中空の筒状体をなすとともに、通過する水道水に含まれる塩素を除去する機能を有する第１フィルタ部と、該第１フィルタ部によって周りを取り囲まれる位置に配された、前記第１フィルタ部よりも塩素除去機能の低い第２フィルタ部と、前記第１フィルタ部の上端を遮蔽し、前記第２フィルタ部の上方を覆うとともに、前記ヘッドキャップとの間に上部空間を構成する上板とを含み、前記上板の略中央には、前記第２のフィルタ部の上端に隣接する空間と前記上部空間との間を連通する貫通穴が設けられ、前記上板の周縁と前記ヘッドキャップとの間の隙間から前記上部空間を経て前記貫通穴に至る流水路をバイパス流路として、前記フィルタを通過する水道水の内の所定量が前記バイパス流路を流れるようにした、浄水器」を提案している。
【０００６】
これに対して、特許文献３では部品点数が少なく構造が単純で長期間に亘る信頼性の高い遊離残留塩素濃度を調整するために、「導入口と排出口を備えるヘッドキャップに遮蔽されてその内部にごみ除去フィルタが挿入されるごみ除去ハウジングとからなるごみ除去ユニットと、前記排出口とパイプを介して第二導入口と接続されて第二放出口を設ける第二ヘッドキャップに遮蔽されて塩素除去フィルタが挿入される塩素除去ハウジングとからなる塩素除去ユニットとを備え、前記第二ヘッドキャップは第二導入口からその底面の端部へと貫通する導入口管と、その底面の中央部から第二放出口へと貫通する放出口管と、前記放出口管と前記底面の端部とを貫通する塩素確保開口部と、塩素確保開口部の開度調整部とを備える残留塩素濃度確保装置」を提案している。
【０００７】
【特許文献１】登録実用新案第３０５２５９８号公報公報、図１、第１頁
【特許文献２】特許第２６４４１２７号公報、図１、第１頁
【特許文献３】特開２００５−１９９１４４号公報
【発明の開示】
【発明が解決しようとする課題】
【０００８】
ところで、いずれの浄水システムにおいても戸建住宅を想定したものであり、各末端給水栓と止水栓の間が短く、さらに、一つの止水栓に対して１戸のみに配水することを前提としたものであった。
【０００９】
浄水システムの機能を水道水内の異物を除去する第一の機能と水道水内の残留塩素を削減する第二の機能について検討すると、戸建住宅の場合は第一の機能と第二の機能を分離させる必要はなく、第一の機能と第二の機能とを連結して適用することにはなんら問題はない。
【００１０】
一方、マンションやアパート等の集合住宅においては、集合住宅の個数と同数の第一の機能と第二の機能のいずれをも兼ね備える浄水システムが必要となり、配水管に接続される止水栓当たりの浄水システムは集合住宅の戸数分必要となり、設置コストとメンテナンスコストが発生する。そこで、集合住宅を全体として浄水することで、浄水システムを集合住宅の止水栓近傍に１つとすることで、浄水化のコストを削減する方法を採用することもできる。
【００１１】
しかしながら、各戸別に配置されるはずの浄水システムを止水栓近傍１つにし、そこに第一の機能と第二の機能とを連結して適用すると浄水システムと各部屋の間の配水管の残留塩素濃度を低下させてしまい、前記水道法施行規則第十七条の規定にそぐわないととともにその間の水についての殺菌・消毒の不備についての課題が生じる。
【００１２】
そこで、前記の課題を解決すべく、本発明の目的は、異物を止水栓近傍で排除するとともに残留塩素は末端給水栓近傍で除去する手段である給水システム、浄水システム、建築物、化学物質除去装置並びに異物除去装置の提供にある。
【課題を解決するための手段】
【００１３】
以上の目的を達成するために本発明に係る浄水システムは、給水管と接続される止水栓を介して接続される複数の末端給水栓を備える浄水システムにおいて、前記末端給水栓毎に隣接して配置する化学物質除去部と、止水栓側に配置する異物除去部とを備えることで止水栓で異物を除去するとともに遊離残留塩素濃度を末端給水栓近傍まで低下させることなく濾過して給水する。
【００１４】
ここで、化学物質除去部は、化学物質除去フィルタと前記化学物質除去フィルタを回避するバイパス部を備えてもよく、異物除去部は、異物除去フィルタと前記異物除去フィルタを回避するバイパス部を備えてもよい。
【００１５】
次に、本願に係る第二の発明である建築物は、給水管と接続される止水栓を介して接続される複数の末端給水栓を備える給水システムを備える建築物において、前記末端給水栓毎に隣接して配置する化学物質除去部と、止水栓側に配置する異物除去部とを備えることで止水栓で異物を除去するとともに遊離残留塩素濃度を末端給水栓近傍まで低下させることなく給水する給水システムを備える。
【００１６】
さらに、本願に係る第三の発明である化学物質除去装置は、給水管と接続される止水栓を介して接続される複数の末端給水栓を備える給水システムに内蔵されて、止水栓側に配置する異物除去部に連結されることで止水栓において異物を除去するとともに遊離残留塩素濃度を末端給水栓近傍まで低下させることなく給水するための、前記末端給水栓毎に隣接して配置される。
【００１７】
そのうえ、本願に係る第四の発明である異物除去装置は、給水管と接続される止水栓を介して接続される複数の末端給水栓を備える給水システムに内蔵されて、前記末端給水栓毎に隣接して配置される化学物質除去部に連結されることで止水栓において異物を除去するとともに遊離残留塩素濃度を末端給水栓近傍まで低下させることなく給水するための、止水栓側に配置する。
【発明の効果】
【００１８】
本発明の浄水システム、建築物、化学物質除去装置並びに異物除去装置は、異物を止水栓近傍で排除するとともに残留塩素は末端給水栓近傍で除去することが可能となる。
【発明を実施するための最良の形態】
【００１９】
以下、本発明の実施の形態の浄水システム２について、図１乃至図３に基いて説明する。図１は、本発明に係る浄水システム２と浄水建築物４の全体構成図である。浄水建築物４は、柱６と梁８と壁部１０より複数の住戸１２を構成し、その低層部に異物除去フィルタを内蔵する異物除去部１４を備え、この異物除去部１４に連結されて各戸へ配水するために壁部10等に埋設される異物除去配管１６と、この異物除去配管１６にそれぞれ連結される戸別化学物質除去部１８が配置される。前記異物除去部１４は、さらに敷地内給水管２０を介して水道メータ２２と連結され、この水道メータ２２はさらに止水栓２４を介して、公道下に埋設される配水管（図示せず）と連結している給水管２６と連結される。
【００２０】
このように配置されることで、配水管から供給される水道水は前記異物除去部１４を通過することで塵や錆等の水道水内の異物が排除されて浄水建築物４内部に導入されて、さらに各戸毎に設けられる戸別化学物質除去部で残留塩素が除去された浄水として各戸の末端給水栓(図示せず)に給水される。
【００２１】
続いて、図２を用いて異物除去部１４の詳細について説明する。異物除去部１４は、水道メータ２２から配管される敷地内給水管２０がＴ字型パイプ２１で分岐され一方のポートが２ポートボールバルブ２８から浄水管３０を介して浄水塔３２に連結される。Ｔ字型パイプ２１の他方のポートはバイパス管３４と連結される。浄水塔３２は、浄水管３６と２ポートボールバルブ３８を経由してＴ字型パイプ３９を介して、異物除去配管１６と連結される。バイパス管３４は、２ポートボールバルブ４０を介してＴ字型パイプ３９と連結されて異物除去配管１６に合流する。
【００２２】
浄水塔３２は、高分子フィルタを内蔵し、大型のごみによる目詰まり等の発生を防止することができ、戸別化学物質除去部１８の負荷を減少させる。ここで、フィルタとしてポリプロピレン等の化学繊維、羊毛等の動物繊維、紙等の植物繊維を採用することができる。
【００２３】
また、高分子フィルタの交換や故障時に敷地内給水管２０と異物除去配管１６とを直結できるようにバイパス管３４が設けられており、２ポートボールバルブ２８と２ポートボールバルブ３８を閉じて２ポートボールバルブ４０を開放することで使用可能となる。たとえ、異物が各戸の止水栓まで到達することを除き、給止栓手前での残留塩素減少が発生する問題は生じない。
【００２４】
さらに図３において、戸別化学物質除去部１８について説明する。異物除去配管１６は、戸別止水栓４２と結合し、パイプ４４を介して、戸別水道メータ４６と連結される。戸別水道メータ４６はパイプ４８を介してＴ字型パイプ５０と結合される。Ｔ字型パイプ５０はボールバルブ５２と連結される。このボールバルブ５２はパイプ５４を介して化学物質除去ユニット５６と連結される。この化学物質除去ユニット５６の出力はパイプ５８を介してボールバルブ６０と連結される。ボールバルブ６０はＴ字型パイプ６２とパイプ６６を介して図示しない末端給水栓と連結される。化学物質除去ユニット５６は、カーボンフィルタから構成される。
【００２５】
次に本発明に係る浄水システム２の動作について説明する。給水管２６から流入する水道水は止水栓２４、水道メータ２２、敷地内給水管２０を通過して異物除去部１４に到達する。水道水は、敷地内給水管２０から２ポートボールバルブ２８、浄水管３０を通過して浄水塔３２に流入する。ここで、浄水塔３２内部のフィルタにより水道水内の溶融物質を除く異物が除去される。
【００２６】
水道水は浄水塔３２から浄水管３６、２ポートボールバルブ３８を通過して異物除去配管１６を経過して各住戸１２の戸別化学物質除去部１８に到達する。
【００２７】
戸別化学物質除去部１８では、水道水は異物除去配管１６から、戸別止水栓４２、パイプ４４、戸別水道メータ４６、パイプ４８、Ｔ字型パイプ５０、ボールバルブ５２、パイプ５４を経由して化学物質除去ユニット５６に流入する。ここで、水道水からは残留塩素を含む化学物質が化学物質除去ユニット５６のカーボンフィルタによって除去される。化学物質除去ユニット５６を通過した水道水は、パイプ５８、ボールバルブ６０、Ｔ字型パイプ６２、パイプ６６を経由して末端給水栓へ流れる。
【００２８】
さらに、異物除去部１４では、２ポートボールバルブ２８と２ポートボールバルブ３８の開口ポートを変更して２ポートボールバルブ４０を開放することでバイパス流路が開通する。
【００２９】
一方、戸別化学物質除去部１８では、ボールバルブ５２、ボールバルブ６０を遮断し、ボールバルブ６４を開放することでバイパス流路が開通する。
【００３０】
以上のように構成することで、従来の元栓設置型の浄水システムと比較して全体のメンテナンスコストを大幅に削減することができ、各戸は化学物質除去ユニット５６について自らの使用量に応じてコストを負担でき、従来の合算方式と比較しても公平となった。また、最終的に各戸に対しては複数の末端給水栓に対して全て浄水を提供することができる。
【００３１】
さらに異物除去部１４と戸別化学物質除去部１８を全く別な場所に配置することができたため設置スペースの確保も容易である。
【産業上の利用可能性】
【００３２】
本発明に係る浄水システムは、止水栓から末端給水栓との距離が長い場合や、住戸を複数有する集合住宅に適用することで、低コストで浄水システムを適用することが可能となる。
【図面の簡単な説明】
【００３３】
【図１】本発明に係る浄水システムの全体構成図を示す。
【図２】本発明に係る浄水システムの異物除去部の拡大図を示す。
【図３】本発明に係る浄水システムの戸別化学物質除去部の拡大図を示す。
【符号の説明】
【００３４】
２  浄水システム
４  浄水建築物
６  柱
８  梁
１０  壁部
１２  住戸
１４  異物除去部
１６  異物除去配管
１８  戸別化学物質除去部
２０  敷地内給水管
２２  水道メータ
２４  止水栓
２６  給水管
２８  ２ポートボールバルブ
３０  浄水管
３２  浄水塔
３４  バイパス管
３６  浄水管
３８  ２ポートボールバルブ
４０  ２ポートボールバルブ
４２  戸別止水栓
４４  パイプ
４６  戸別水道メータ
４８  パイプ
５０  Ｔ字型パイプ
５２  ボールバルブ
５４  パイプ
５６  化学物質除去ユニット
５８  パイプ
６０  ボールバルブ
６２  Ｔ字型パイプ
６６  パイプ
【図１】
2008188566.tif 000003
【図２】
2008188566.tif 000004
【図３】
2008188566.tif 000005